(57)【要約】【課題】梱包したまま電子機器等の仕様変更を行える電子機器の梱包材及びこれを利用した電子機器の仕様変更方法を提供する。【解決手段】投影部１１を備え、コンピュータと接続して内部メモリの情報の書き換えが可能なプロジェクタ１の梱包材１０であって、梱包材１０はプロジェクタ１を収納する梱包箱６と、梱包箱６内に収納されたプロジェクタ１を衝撃から保護する前面部緩衝材２及び後面部緩衝材３とを備え、梱包箱６には、複数の開閉可能な貫通穴部６１、６２、６３を形成するための切り込み６Ａが形成され、前面部緩衝材２及び後面部緩衝材３には、貫通穴部６１、６２、６３に相当する位置に孔部２１、３１、３２が設けられ、これにより開口部１０Ａが形成され、開口部１０Ａから、梱包材１０により梱包されたプロジェクタ１の電源ケーブル差込口１２、コンピュータ接続用ケーブル差込口１３及び投影部１１が露出される。【選択図】図３                                                                  
2006008191.tif 000002
【特許請求の範囲】
【請求項１】
画像出力部を備え、外部機器と接続して内部メモリの情報の書き換えが可能な電子機器の梱包材であって、
前記梱包材は前記電子機器を収納する梱包箱と、前記梱包箱内に収納された前記電子機器を衝撃から保護する緩衝材とを備え、
前記梱包箱には、複数の開閉可能な貫通穴部を形成するための切り込みが形成され、
前記緩衝材には、前記貫通穴部に相当する位置に孔部が設けられ、
前記貫通穴部を形成することにより、前記貫通穴部と前記孔部とが連通して開口部が形成され、
前記開口部が形成されることにより、前記梱包材により梱包された前記電子機器の電源ケーブル差込口、外部機器接続用ケーブル差込口及び前記画像出力部が露出されることを特徴とする電子機器の梱包材。
【請求項２】
外部機器と接続して内部メモリの情報の書き換えが可能な電子機器の梱包材であって、
前記梱包材は、複数の開口部が形成可能に構成され、
前記梱包材により梱包された前記電子機器の電源ケーブル差込口及び外部機器接続用ケーブル差込口は、前記開口部を形成することにより露出されることを特徴とする電子機器の梱包材。
【請求項３】
前記梱包材は前記電子機器を収納する梱包箱と、前記梱包箱内に収納された前記電子機器を衝撃から保護する緩衝材とを備え、
前記梱包箱は、複数の貫通穴部が形成可能に構成され、
前記緩衝材には、前記貫通穴部に相当する位置に孔部が設けられ、
前記開口部は、前記貫通穴部を形成することにより、前記貫通穴部と前記孔部とが連通して形成されることを特徴とする請求項２に記載の電子機器の梱包材。
【請求項４】
前記梱包箱には複数の開閉可能な前記貫通穴部を形成するための切り込みが形成されていることを特徴とする請求項３に記載の電子機器の梱包材。
【請求項５】
前記電子機器は、画像を出力する画像出力部を備え、
前記画像出力部は、前記開口部が形成されることにより露出されることを特徴とする請求項２〜４のいずれか一項に記載の電子機器の梱包材。
【請求項６】
請求項１に記載の電子機器の梱包材を用いた電子機器の仕様変更方法であって、
前記梱包箱と前記緩衝材とからなる梱包材により前記電子機器を梱包する梱包工程と、
前記梱包箱に前記貫通穴部を形成することにより前記開口部を形成して、梱包された前記電子機器の前記電源ケーブル差込口及び前記外部機器接続用ケーブル差込口及び前記画像出力部を露出する露出工程と、
露出された前記電源ケーブル差込口及び前記外部機器接続用ケーブル差込口に、各々電源ケーブル及び外部機器接続用ケーブルを差し込んで、前記梱包材により梱包された状態のまま、前記電子機器の内部の仕様変更を行う仕様変更工程と、
露出された前記画像出力部を使用して内部の仕様変更が正常に行われたかどうかを確認する確認工程と、
仕様変更が確認された後、前記貫通穴部を閉じる閉塞工程と、
を備えることを特徴とする電子機器の仕様変更方法。
【発明の詳細な説明】
【技術分野】
【０００１】
本発明は、電子機器の梱包材およびこれを用いた電子機器の仕様変更方法に関する。
【背景技術】
【０００２】
従来、コンピュータ及びその付属品等の電子機器の梱包においては、本体及び付属品を個別に緩衝支持した状態で１つの梱包箱にまとめて収容するなどの方法がなされている（例えば、特許文献１参照）。
【０００３】
また、電子機器等をコンテナーを用いて輸送する際には、コンテナーの底板上に緩衝材等からなる座布団状の輸送物載置部を設けて、その載置部上に電子機器等をバンド等により縛着する梱包方法がなされている（例えば、特許文献２参照）。
【０００４】
さらに、第１のカバーと第２のカバーとが、回転軸を中心として回転可能に接続されてなる収納ケースであって、第２のカバーを回転軸を中心に回転させ、第１のカバーと係合させると、収納ケースとして機能し、第２のカバーを回転軸を中心に反対方向に回転させると、第２のカバーを土台として第１のカバーが所定の傾斜角で起立してスタンドとして機能する収納ケースも知られている（例えば、特許文献３参照）。
【特許文献１】特開平７−１３２９７３号公報
【特許文献２】特開平１１−３０１７３７号公報
【特許文献３】特開２００３−８１３７７号公報
【発明の開示】
【発明が解決しようとする課題】
【０００５】
しかしながら、特許文献１及び２に記載の梱包材及び梱包方法においては、一度梱包した電子機器の内部の仕様変更等を行う際には、まず、梱包箱等から電子機器を取り出し、各種仕様変更を行い、再度梱包することとなり、面倒であった。また、特許文献３に記載の収納ケースを備えた電子機器を出荷・輸送する際においても、収納ケースの上から梱包する必要があり、梱包した後において電子機器内部の仕様変更を行う際には、梱包箱等から電子機器を取り出す必要があり、面倒であった。
【０００６】
本発明の課題は、梱包したまま電子機器等の仕様変更を行える電子機器の梱包材及びこれを利用した電子機器の仕様変更方法を提供することである。
【課題を解決するための手段】
【０００７】
請求項１に記載の発明は、画像出力部を備え、外部機器と接続して内部メモリの情報の書き換えが可能な電子機器の梱包材であって、
前記梱包材は前記電子機器を収納する梱包箱と、前記梱包箱内に収納された前記電子機器を衝撃から保護する緩衝材とを備え、
前記梱包箱には、複数の開閉可能な貫通穴部を形成するための切り込みが形成され、
前記緩衝材には、前記貫通穴部に相当する位置に孔部が設けられ、
前記貫通穴部を形成することにより、前記貫通穴部と前記孔部とが連通して開口部が形成され、
前記開口部が形成されることにより、前記梱包材により梱包された前記電子機器の電源ケーブル差込口、外部機器接続用ケーブル差込口及び前記画像出力部が露出されることを特徴としている。
【０００８】
請求項２に記載の発明は、外部機器と接続して内部メモリの情報の書き換えが可能な電
子機器の梱包材であって、
前記梱包材は、複数の開口部が形成可能に構成され、
前記梱包材により梱包された前記電子機器の電源ケーブル差込口及び外部機器接続用ケーブル差込口は、前記開口部を形成することにより露出されることを特徴としている。
【０００９】
請求項３に記載の発明は、請求項２に記載の電子機器の梱包材であって、
前記梱包材は前記電子機器を収納する梱包箱と、前記梱包箱内に収納された前記電子機器を衝撃から保護する緩衝材とを備え、
前記梱包箱は、複数の貫通穴部が形成可能に構成され、
前記緩衝材には、前記貫通穴部に相当する位置に孔部が設けられ、
前記開口部は、前記貫通穴部を形成することにより、前記貫通穴部と前記孔部とが連通して形成されることを特徴としている。
【００１０】
請求項４に記載の発明は、請求項３に記載の電子機器の梱包材であって、
前記梱包箱には複数の開閉可能な前記貫通穴部を形成するための切り込みが形成されていることを特徴としている。
【００１１】
請求項５に記載の発明は、請求項２〜４のいずれか一項に記載の電子機器の梱包材であって、
前記電子機器は、画像を出力する画像出力部を備え、
前記画像出力部は、前記開口部が形成されることにより露出されることを特徴としている。
【００１２】
請求項６に記載の発明は、請求項１に記載の電子機器の梱包材を用いた電子機器の仕様変更方法であって、
前記梱包箱と前記緩衝材とからなる梱包材により前記電子機器を梱包する梱包工程と、
前記梱包箱に前記貫通穴部を形成することにより前記開口部を形成して、梱包された前記電子機器の前記電源ケーブル差込口及び前記外部機器接続用ケーブル差込口及び前記画像出力部を露出する露出工程と、
露出された前記電源ケーブル差込口及び前記外部機器接続用ケーブル差込口に、各々電源ケーブル及び外部機器接続用ケーブルを差し込んで、前記梱包材により梱包された状態のまま、前記電子機器の内部の仕様変更を行う仕様変更工程と、
露出された前記画像出力部を使用して内部の仕様変更が正常に行われたかどうかを確認する確認工程と、
仕様変更が確認された後、前記貫通穴部を閉じる閉塞工程と、
を備えることを特徴としている。
【発明の効果】
【００１３】
請求項１に記載の発明によれば、梱包箱には、複数の開閉可能な貫通穴部を形成するための切り込みが形成され、緩衝材には、貫通穴部に相当する位置に孔部が設けられ、貫通穴部を形成することにより、貫通穴部と孔部とが連通して開口部が形成されるので、梱包箱に形成された切り込みにより容易に貫通穴部を形成して、開口部を形成することができる。また、開口部を形成することにより、梱包材により梱包された電子機器の電源ケーブル差込口、外部機器接続用ケーブル差込口及び画像出力部が露出されるので、露出された電源ケーブル差込口及び外部機器接続用ケーブル差込口に、各々電源ケーブル及び外部機器接続用ケーブルを差し込んで、梱包材により梱包された状態のまま、電子機器の内部の仕様変更を行うことができる。また、露出された画像出力部を用いて画像を出力することによって、仕様変更が正常に行われたかどうか確認することができる。そして、梱包箱に形成された貫通穴部は開閉可能であるので、貫通穴部を容易に閉じることができる。
【００１４】
請求項２に記載の発明によれば、梱包材は複数の開口部が形成可能に構成されており、
梱包材により梱包された電子機器の電源ケーブル差込口及び外部機器接続用ケーブル差込口は、開口部を形成することにより露出されるので、露出された電源ケーブル差込口及び外部機器接続用ケーブル差込口に、各々電源ケーブル及び外部機器接続用ケーブルを差し込んで、梱包材により梱包された状態のまま、電子機器の内部の仕様変更を行うことができる。
【００１５】
請求項３に記載の発明によれば、請求項２に記載の発明と同様の効果が得られるのは無論のこと、特に、梱包材は、複数の貫通穴部が形成可能に構成された梱包箱と、貫通穴部に相当する位置に孔部が設けられた緩衝材と、を備え、開口部は、貫通穴部が形成されて貫通穴部と孔部とが連通することにより形成されるので、梱包箱及び緩衝材を備えた梱包材により梱包された場合においても、電子機器の電源ケーブル差込口及び外部機器接続用ケーブル差込口を露出することができる。
【００１６】
請求項４に記載の発明によれば、請求項３に記載の発明と同様の効果が得られるのは無論のこと、特に、梱包箱には複数の開閉可能な貫通穴部を形成するための切り込みが形成されているので、容易に貫通穴部を形成することができることとなり、梱包材により梱包された電子機器の電源ケーブル差込口及び外部機器接続用ケーブル差込口を容易に露出することができる。また、梱包箱に形成された貫通穴部は開閉可能であるので、容易に貫通穴部を閉じることができる。
【００１７】
請求項５に記載の発明によれば、請求項２〜４のいずれか一項に記載の発明と同様の効果が得られるのは無論のこと、特に、電子機器は画像を出力する画像出力部を備え、画像出力部は開口部が形成されることにより露出されるので、電子機器の内部の仕様変更を行った後、画像出力部を用いて画像を出力することによって、仕様変更が正常に行われたかどうか確認することができる。
【００１８】
請求項６に記載の発明によれば、梱包工程により梱包箱と緩衝材とからなる梱包材により電子機器が梱包され、露出工程により梱包箱に貫通穴部が形成され、緩衝材の孔部と連通することにより開口部が形成されて、梱包された電子機器の電源ケーブル差込口及び外部機器接続用ケーブル差込口及び画像出力部が露出され、仕様変更工程により露出された電源ケーブル差込口及び外部機器接続用ケーブル差込口に、各々電源ケーブル及び外部機器接続用ケーブルを差し込んで、梱包材により梱包された状態のまま、電子機器の内部の仕様変更が行われ、確認工程により露出された画像出力部を使用して内部の仕様変更が正常に行われたかどうかが確認され、閉塞工程により仕様変更が確認された後、貫通穴部が閉じられるので、梱包材により梱包された状態のまま、容易に、電子機器の内部の仕様変更を行うことができる。
【発明を実施するための最良の形態】
【００１９】
以下、図を参照して本発明を実施するための最良の形態を詳細に説明する。
【００２０】
まず、本実施の形態の構成を説明する。
【００２１】
本実施の形態では、電子機器としてプロジェクタの梱包材を例示して説明する。
【００２２】
図１に、本実施の形態に係るプロジェクタ及び当該プロジェクタの梱包材を斜め前方から見た分解斜視図をを示す。同様に、図２に、図１のプロジェクタ及び梱包材を斜め後方から見た分解斜視図を示す。
【００２３】
図１及び図２に示すように、プロジェクタ１は、画像を投影する投影部１１（本発明に係る画像出力部に相当）及び電源ケーブル差込口１２及びコンピュータ接続用ケーブル差込口１３（本発明に係る外部機器接続用ケーブル差込口に相当）を備え、外部機器としての外部コンピュータ（図示省略）と接続してプロジェクタ１内に内蔵された内部メモリ（
図示省略）の情報を書き換えることができるよう構成されている。
【００２４】
そして、プロジェクタ１は、梱包材１０により梱包された状態で出荷・運送される。
【００２５】
梱包材１０は、図１及び図２に示すように、前面部緩衝材２（本発明に係る緩衝材に相当）と、後面部緩衝材３（本発明に係る緩衝材に相当）と、底面部緩衝材４と、天面部緩衝材５と、梱包箱６等から構成されている。
【００２６】
前面部緩衝材２は、例えば、発泡スチロール等の緩衝材料からなり、一側面部にプロジェクタ１の投影部１１側を挿入可能な凹部２ａが形成されている。また、前面部緩衝材２には、当該前面部緩衝材２をプロジェクタ１に挿入させた状態で投影部１１が露出するように貫通する孔部２１が形成されている。
【００２７】
後面部緩衝材３は、例えば、前面部緩衝材２と同様の発砲スチロール等の緩衝材料からなり、一側面部にプロジェクタ１のコンピュータ接続用ケーブル差込口１３側を挿入可能な凹部３ａが形成されている。また、後面部緩衝材３には、当該後面部緩衝材３をプロジェクタ１に挿入させた状態で電源ケーブル差込口１２及びコンピュータ接続用ケーブル差込口１３が露出するように貫通する孔部３１と孔部３２がそれぞれ形成されている。
【００２８】
底面部緩衝材４は、例えば、段ボール等の緩衝材料からなり、図１及び図２に示すように、略凸型の構造を形成することにより、上下方向に緩衝力が生じるようになっている。
【００２９】
天面部緩衝材５は、例えば、底面部緩衝材４と同様の段ボール等の緩衝材料からなり、図１及び図２に示すように、略凹型の構造を形成することにより、上下方向に緩衝力が生じるようになっている。なお、底面部緩衝材４及び天面部緩衝材５は、緩衝力を生じるものであれば、どのような材料から形成されても良い。
【００３０】
梱包箱６は、段ボール等からなり、図１及び図２に示すように、貫通穴部６１及び貫通穴部６２及び貫通穴部６３を形成するための切り込み６Ａを備えている。
【００３１】
切り込み６Ａは、前面部緩衝材２及び後面部緩衝材３により被覆されたプロジェクタ１が梱包箱６内に梱包された際、前面部緩衝材２及び後面部緩衝材３の孔部２１、孔部３１、孔部３２に相当する位置に各貫通穴部６１、６２、６３が形成されるように設けられている。
【００３２】
次に、本実施の形態に係る梱包材１０によりプロジェクタ１を梱包したままプロジェクタ１の内部の仕様変更を行う方法を説明する。
【００３３】
まず、図１に示すように、梱包箱６に底面部緩衝材４を、凸面を上にして載置する。
【００３４】
次に、プロジェクタ１の投影部１１側に前面部緩衝材２の凹部２ａを備えた一側面部を係合させる。このとき、投影部１１は孔部２１から露出するようになっている。また、プロジェクタ１のコンピュータ接続用ケーブル差込口１３側に後面部緩衝材３の凹部３ａを備えた一側面部を係合させる。このとき、電源ケーブル差込口１２及びコンピュータ接続用ケーブル差込口１３はそれぞれ孔部３１及び孔部３２から露出するようになっている。
【００３５】
次に、前面部緩衝材２及び後面部緩衝材３により被覆したプロジェクタ１を梱包箱６の中の底面部緩衝材４の上に配置する。
【００３６】
次に、図１に示すように、天面部緩衝材５を、凹面を上にして、先に配置したプロジェクタ１の上へ載置する。最後に、図３及び図４に示すように、梱包箱６の蓋を閉じてテープ９等で貼り合わせることにより、プロジェクタ１の梱包工程が終了する。
【００３７】
次に、梱包されたプロジェクタ１の内部の仕様変更を行う。まず、図３及び図４に示す
ように、梱包箱６を切り込み６Ａに沿って切断し、貫通穴部６１、貫通穴部６２、貫通穴部６３を順次形成して開口部１０Ａを形成し、投影部１１、電源ケーブル差込口１２、コンピュータ接続用ケーブル差込口１３を露出させる（露出工程）。
【００３８】
次に、コンピュータ接続用ケーブル差込口１３にコンピュータ接続用ケーブル８を差し込み、プロジェクタ１と外部コンピュータを接続し、電源ケーブル差込口１２に電源ケーブル７を差し込んで、プロジェクタ１へ通電する。
【００３９】
次に、プロジェクタ１と接続した外部コンピュータの書き換え処理により、プロジェクタ１の内部メモリ（図示省略）に格納されている、例えば、ソフトウェア等の情報を書き換え、仕様変更を行う（仕様変更工程）。
【００４０】
次に、投影部１１において画像を出力し、プロジェクタ１の内部の仕様変更が正常に行われたかどうかを確認する（確認工程）。
【００４１】
プロジェクタ１の内部の仕様変更が正常に行われたことを確認した後、電源ケーブル７及びコンピュータ接続用ケーブル８を取り外し、貫通穴部６１、貫通穴部６２、貫通穴部６３を閉じ、テープ９などで切り込み６Ａに沿った切断部分を貼り合わせる（閉塞工程）。
【００４２】
以上説明した本実施の形態にかかるプロジェクタ１の梱包材１０によれば、梱包箱６には、開閉可能な貫通穴部６１、貫通穴部６２、貫通穴部６３を形成するための切り込み６Ａが形成され、前面部緩衝材２及び後面部緩衝材３には、貫通穴部６１、貫通穴部６２、貫通穴部６３に相当する位置にそれぞれ孔部２１、孔部３１、孔部３２が設けられ、貫通穴部６１、６２、６３を形成することにより、貫通穴部６１、貫通穴部６２、貫通穴部６３と孔部２１、孔部３１、孔部３２とがそれぞれ連通して開口部１０Ａが形成されるので、梱包箱６に形成された切り込み６Ａにより容易に貫通穴部６１、６２、６３を形成して、開口部１０Ａを形成することができる。また、開口部１０Ａを形成することにより、梱包材１０により梱包されたプロジェクタ１の電源ケーブル差込口１２、コンピュータ接続用ケーブル差込口１３及び投影部１１が露出されるので、露出された電源ケーブル差込口１２及びコンピュータ接続用ケーブル差込口１３に、各々電源ケーブル７及びコンピュータ接続用ケーブル８を差し込んで、梱包材１０により梱包された状態のまま、プロジェクタ１の内部の仕様変更を行うことができる。
【００４３】
また、梱包箱６には開閉可能な貫通穴部６１、６２、６３を形成するための切り込み６Ａが形成されているので、容易に貫通穴部６１、６２、６３を形成することができることとなり、梱包材１０により梱包されたプロジェクタ１の電源ケーブル差込口１２及びコンピュータ接続用ケーブル差込口１３を容易に露出することができる。また、梱包箱６に形成された貫通穴部６１、６２、６３は開閉可能であるので、容易に貫通穴部６１、６２、６３を閉じることができる。
【００４４】
また、プロジェクタ１は画像を出力する投影部１１を備え、投影部１１は開口部１０Ａが形成されることにより露出されるので、プロジェクタ１の内部の仕様変更を行った後、投影部１１を用いて画像を出力することによって、仕様変更が正常に行われたかどうか確認することができる。
【００４５】
また、本実施の形態にかかるプロジェクタ１の仕様変更方法によれば、梱包箱６と前面部緩衝材２、後面部緩衝材３、底面部緩衝材４及び天面部緩衝材５とからなる梱包材１０によりプロジェクタ１を梱包する梱包工程と、梱包箱６に貫通穴部６１、貫通穴部６２、貫通穴部６３を形成し、前面部緩衝材２の孔部２１及び後面部緩衝材３の孔部３１、孔部
３２とそれぞれ連通することにより開口部１０Ａを形成して、梱包されたプロジェクタ１の電源ケーブル差込口１２及びコンピュータ接続用ケーブル差込口１３及び投影部１１を露出する露出工程と、露出された電源ケーブル差込口１２及びコンピュータ接続用ケーブル差込口１３に、各々電源ケーブル７及びコンピュータ接続用ケーブル８を差し込んで、梱包材１０により梱包された状態のまま、プロジェクタ１の内部の仕様変更を行う仕様変更工程と、露出された投影部１１を使用して内部の仕様変更が正常に行われたかどうかを確認する確認工程と、仕様変更が確認された後、貫通穴部６１、６２、６３を閉じる閉塞工程と、を備えるので、梱包材１０により梱包された状態のまま、容易に、プロジェクタ１の内部の仕様変更を行うことができる。
【００４６】
なお、本発明は上記実施の形態の梱包材１０に限定されない。
【００４７】
例えば、緩衝材に孔部を設けなくとも、電源ケーブル差込口１２及びコンピュータ接続用ケーブル差込口１３及び投影部１１に相当する部位に、緩衝材を配置させない構成であってもよい。この場合、梱包箱６に貫通穴部６１、６２、６３を形成することにより、電源ケーブル差込口１２及びコンピュータ接続用ケーブル差込口１３及び投影部１１が露出することとなる。
【００４８】
また、電子機器としてプロジェクタを例示したが、パーソナルコンピュータなど、外部機器と接続して内部メモリの情報の書き換えが可能な電子機器であればどのようなものであってもよい。
【図面の簡単な説明】
【００４９】
【図１】本発明に係るプロジェクタの梱包材及びプロジェクタを斜め前方から見た分解斜視図である。
【図２】本発明に係るプロジェクタの梱包材及びプロジェクタを斜め後方から見た分解斜視図である。
【図３】梱包材により梱包されたプロジェクタを斜め前方から見た斜視図である。
【図４】梱包材により梱包されたプロジェクタを斜め後方から見た斜視図である。
【符号の説明】
【００５０】
１    プロジェクタ（電子機器）
１０  梱包材
１１  投影部（画像出力部）
１２  電源ケーブル差込口
１３  コンピュータ接続用ケーブル差込口（外部機器接続用ケーブル差込口）
２  前面部緩衝材（緩衝材）
２１  孔部
３  後面部緩衝材（緩衝材）
３１  孔部
３２  孔部
６  梱包箱
６１  貫通穴部
６２  貫通穴部
６３  貫通穴部
７  電源ケーブル
８  コンピュータ接続用ケーブル
【図１】
2006008191.tif 000003
【図２】
2006008191.tif 000004
【図３】
2006008191.tif 000005
【図４】
2006008191.tif 000006